(57)【特許請求の範囲】
【請求項１】
（ａ）振動板と、該振動板を振動させるドライバユニットと、前記振動板の反放音側を覆うエンクロージャとして機能する筐体とを有するスピーカ装置であって、
（ｂ）前記振動板及び筐体は、放音側から観て、幅が狭くて細長い平面形状を備え、
（ｃ）前記ドライバユニットは、磁気回路部と、該磁気回路部と協働して振動を発生する駆動部材と、該駆動部材の振動を前記振動板に伝達する振動伝達部材とを備え、前記磁気回路部は前記筐体の外側かつ反放音側で前記筐体に保持され、前記振動伝達部材は前記筐体の内側で放音方向に移動可能に前記筐体に保持され、
（ｄ）該筐体は、前記磁気回路部を収容する凹部と、該凹部の両側で反放音側に向けて突出する凸部と、該凸部内に形成され、前記磁気回路部の放音側の面より反放音側に凹入する凹入空間と、を備える一体的に形成された部材であり、前記凹入空間の少なくとも一つは、外部と連通する開孔を含み、
（ｅ）前記磁気回路部は外形が直方体状のマグネットを備え、前記凸部は前記マグネットの長軸方向の両端外側に位置し、前記マグネットの側面のうち、前記長軸方向及び放音方向に延在する一対の側面は、前記筐体の外側に露出することを特徴とするスピーカ装置。
【請求項２】
前記凸部の反放音側の面と前記磁気回路部の反放音側の面とはほぼ面一である請求項１に記載のスピーカ装置。
【請求項３】
前記開孔は前記凸部の反放音側の面に開口する請求項１に記載のスピーカ装置。
【請求項４】
前記開孔は放音方向と直交する方向に延在するダクトにより凹入空間と連結され、前記凸部の側面に開口する請求項１に記載のスピーカ装置。
【発明の詳細な説明】
【技術分野】
【０００１】
本発明は、スピーカ装置に関するものである。
【背景技術】
【０００２】
従来、音響機器に装着されて音を発生させるためにエンクロージャを有するスピーカ装置が使用されている。このようなスピーカ装置は、ダイナミック型のスピーカユニットを有し、該スピーカユニットが備える振動板を振動させて音を発生する。
【０００３】
しかし、近年では、音響機器の小型化及び薄型化が進み、その内部に容積の大きなエンクロージャを取付けるスペースを見出すことが困難である。そこで、別部材のエンクロージャを取付ける必要がない小型のスピーカ装置が提案されている（例えば、特許文献１参照。）。
【０００４】
図６は従来のスピーカ装置の構造を示す断面図である。
【０００５】
図において、８１１はスピーカ装置のフレームであり、樹脂成形によって平面形状が円形になるように一体的に成形され、スピーカ装置の磁気回路部を支持する磁気回路支持部８１７と、スピーカ装置の円周状の外壁として機能する側壁部８１２と、前記磁気回路支持部８１７の前端と側壁部８１２の内周とを結合する前面板部８１６とを有する。
【０００６】
そして、前記磁気回路支持部８１７内には、皿型形状のヨーク８３４が取付けられ、該ヨーク８３４の凹部にはマグネット８４１及びプレート８４２が収容されている。また、前記磁気回路支持部８１７の前方（図における上方）には、振動板８４６が配設されている。さらに、該振動板８４６の後面にはコイル８４３が固着され、該コイル８４３は、プレート８４２の周縁とヨーク８３４との間に形成された磁気ギャップ内に配設される。
【０００７】
また、前記側壁部８１２の後端には、円形の板部材である密閉用カバー８３３の周縁が固着される。前記密閉用カバー８３３を固着することによってフレーム８１１の後面が塞（ふさ）がれ、密閉用カバー８３３と磁気回路支持部８１７及び前面板部８１６との間に後方空間８２１が形成される。
【０００８】
なお、前記前面板部８１６には、振動板８４６の後方と後方空間８２１とを連通する複数の連通路８１５が形成される。また、前記側壁部８１２の前端には、円形の板部材であって多数の図示されない通気孔（こう）が形成されたキャップ部材８２６の周縁が固着される。前記キャップ部材８２６を固着することによってフレーム８１１の前面が塞がれ、異物の進入が防止される。
【０００９】
これにより、フレーム８１１及び密閉用カバー８３３がエンクロージャ（又はボックス）として機能するので、良好な音質を得ることができる。
【先行技術文献】
【特許文献】
【００１０】
【特許文献１】特開２００３−３４８６７９号公報
【発明の概要】
【発明が解決しようとする課題】
【００１１】
しかしながら、前記従来のスピーカ装置においては、マグネット８４１等を収容する磁気回路支持部８１７の後方に後方空間８２１を形成するようになっているので、フレーム８１１の前後方向の寸法が大きくなってしまう。
【００１２】
近年では、テレビジョン受信装置等の音響機器の小型化及び薄型化が進み、特に、液晶ディスプレイ、プラズマディスプレイ等を使用する薄型テレビジョン受信装置等の音響機器においては、その内部に大型のフレーム８１１を備えたスピーカ装置を取付けるスペースを見出すことが困難である。
【００１３】
しかし、薄型テレビジョン受信装置等の薄くて小型の音響機器に取付けるために、フレーム８１１の前後方向の寸法を短くして小型化すると、後方空間８２１の容積が小さくなり、音質が低下してしまう。
【００１４】
また、振動板８４６の後方と後方空間８２１との間に前面板部８１６が存在するので、複数の連通路８１５が形成されていても、音質の低下は避けられない。さらに、密閉用カバー８３３がフレーム８１１と別個の部材なので、スピーカ装置の製造コストを低減することが困難である。
【００１５】
本発明は、前記従来のスピーカ装置の問題点を解決して、エンクロージャとして機能するとともに、その外側に保持された磁気回路部を保持するフレームとしても機能する筐（きょう）体の内部に、磁気回路部の放音側の面よりも反放音側に凹入する凹部を形成するようにして、放音方向の寸法を小さくしても、広い周波数帯域において音圧をコントロールすることができ、切れのよい低音及びクリアな中高音を再現することができ、音の再現性が良好で、音質が高く、コストの低いスピーカ装置を提供することを目的とする。
【課題を解決するための手段】
【００１６】
そのために、本発明のスピーカ装置においては、振動板と、該振動板を振動させるドライバユニットと、前記振動板の反放音側を覆うエンクロージャとして機能する筐体とを有するスピーカ装置であって、前記振動板及び筐体は、放音側から観て、幅が狭くて細長い平面形状を備え、前記ドライバユニットは、磁気回路部と、該磁気回路部と協働して振動を発生する駆動部材と、該駆動部材の振動を前記振動板に伝達する振動伝達部材とを備え、前記磁気回路部は前記筐体の外側かつ反放音側で前記筐体に保持され、前記振動伝達部材は前記筐体の内側で放音方向に移動可能に前記筐体に保持され、該筐体は、前記磁気回路部を収容する凹部と、該凹部の両側で反放音側に向けて突出する凸部と、該凸部内に形成され、前記磁気回路部の放音側の面より反放音側に凹入する凹入空間と、を備える一体的に形成された部材であり、前記凹入空間の少なくとも一つは、外部と連通する開孔を含み、前記磁気回路部は外形が直方体状のマグネットを備え、前記凸部は前記マグネットの長軸方向の両端外側に位置し、前記マグネットの側面のうち、前記長軸方向及び放音方向に延在する一対の側面は、前記筐体の外側に露出する。
【００１７】
本発明の他のスピーカ装置においては、さらに、前記凸部の反放音側の面と前記磁気回路部の反放音側の面とはほぼ面一である。
【００１９】
本発明の更に他のスピーカ装置においては、さらに、前記開孔は前記凸部の反放音側の面に開口する。
【００２０】
本発明の更に他のスピーカ装置においては、さらに、前記開孔は放音方向と直交する方向に延在するダクトにより凹入空間と連結され、前記凸部の側面に開口する。
【発明の効果】
【００２１】
本発明によれば、スピーカ装置は、エンクロージャとして機能するとともに、その外側に保持された磁気回路部を保持するフレームとしても機能する筐体の内部に、磁気回路部の放音側の面よりも反放音側に凹入する凹部が形成されている。これにより、放音方向の寸法を小さくしても、広い周波数帯域において音圧をコントロールすることができ、切れのよい低音及びクリアな中高音を再現することができ、音の再現性が良好となり、音質を向上させることができるとともに、コストを低減することができる。
【図面の簡単な説明】
【００２２】
【図１】本発明の第１の実施の形態におけるスピーカ装置の斜視図であって、（ａ）は放音側から観た図、（ｂ）は反放音側から観た図である。
【図２】本発明の第１の実施の形態におけるスピーカ装置の二面図であって、（ａ）は平面図、（ｂ）は（ａ）におけるＡ−Ａ矢視断面図である。
【図３】本発明の第１の実施の形態におけるスピーカ装置の分解図であって放音側から観た図である。
【図４】本発明の第１の実施の形態におけるスピーカ装置の分解図であって反放音側から観た図である。
【図５】本発明の第２の実施の形態におけるスピーカ装置の三面図であって、（ａ）は平面図、（ｂ）は側面図、（ｃ）は（ａ）におけるＢ−Ｂ矢視断面図である。
【図６】従来のスピーカ装置の構造を示す断面図である。
【発明を実施するための形態】
【００２３】
以下、本発明の実施の形態について図面を参照しながら詳細に説明する。
【００２４】
図１は本発明の第１の実施の形態におけるスピーカ装置の斜視図である。なお、図において、（ａ）は放音側から観た図、（ｂ）は反放音側から観た図である。
【００２５】
図において、１０は本実施の形態におけるスピーカ装置であり、テレビジョン受信装置、ラジオ受信装置、パーソナルコンピュータ、ＣＤプレーヤ、ＤＶＤプレーヤ、ゲーム機等の各種の音響機器に装着されて使用され、電気信号である音声信号によって駆動され、音声信号を再生する音声発生器である。本実施の形態におけるスピーカ装置１０は、小型化することが可能であり、そのため、典型的には、液晶ディスプレイ、プラズマディスプレイ等を使用する薄型テレビジョン受信装置、携帯用パーソナルコンピュータ、ＰＤＡ（Ｐｅｒｓｏｎａｌ  Ｄｉｇｉｔａｌ  Ａｓｓｉｓｔａｎｔ）、携帯用ゲーム機等の薄型又は小型の電気機器、電子機器等に装着されて使用されるが、いかなる種類の、いかなる大きさの電気機器、電子機器等のいかなる部位に装着されて使用されてもよい。
【００２６】
なお、本実施の形態において、スピーカ装置１０の各部の構成及び動作を説明するために使用される上、下、左、右、前、後等の方向を示す表現は、絶対的なものでなく相対的なものであり、スピーカ装置１０又はその部品が図に示される姿勢である場合に適切であるが、スピーカ装置１０又はその部品の姿勢が変化した場合には、姿勢の変化に応じて変更して解釈されるべきものである。
【００２７】
そして、前記スピーカ装置１０は、音声信号を再生して音を発生するためのドライバユニットが備える磁気回路部４０と、該磁気回路部４０によって振動させられて音を発生する振動板４６と、前記磁気回路部４０、振動板４６等の各部材を保持する保持部材であるフレームとして機能するとともに、振動板４６の反放音側（音を放出する側の反対側）を囲むエンクロージャとしても機能する筐体としてのハウジング１１とを有する。なお、前記ドライバユニットは、後述されるボイスコイル４３、ボビン４４等をも備える。
【００２８】
また、前記スピーカ装置１０全体は、放音側（音を放出する側）から観て、平面に対するその投影面の外形が、細長い長方形のような形状、又は、長軸と短軸とを備える楕（だ）円、小判形等の形状である。換言すると、スピーカ装置１０は、全体として、長手方向（長軸方向）の寸法に対して幅方向（短軸方向）の寸法が短くなっている。
【００２９】
そして、前記ハウジング１１は、典型的には、合成樹脂等の樹脂から成る一体的に形成された部材であるが、アルミニウム、鋼、銅等の金属から成るものであってもよいし、樹脂、カーボン、金属等を複合した複合材から成るものであってもよい。また、前記ハウジング１１は、前板部１６と、側板部１２と、後板部１３と、端板部３５とを有し、反放音側の後板部１３を底とし、放音側の前板部１６の大部分が開放された有底容器状であって、長手方向（長軸方向）の寸法に対して幅方向（短軸方向）の寸法が短い有底容器状の部材である。なお、前記ハウジング１１の反放音側の長軸方向の中央部分には放音側に向けて凹入した凹部としての磁気回路収容凹部３４が形成され、該磁気回路収容凹部３４の長軸方向の両側は、相対的に反放音側に向けて突出する凸部としての磁気回路支持凸部１７となっている。そして、前記磁気回路部４０は、ハウジング１１の外側において、前記磁気回路収容凹部３４内に収容される。
【００３０】
このように、磁気回路部４０がハウジング１１の外側に露出しているので、磁気回路部４０が発生する熱を効率良く外気に放出することができ、スピーカ装置１０、特に磁気回路４０の過熱を防止することができる。
【００３１】
なお、前記磁気回路支持凸部１７の内部には、後述される後方空間２１が形成され、また、前記磁気回路収容凹部３４の両側に配設された後板部１３の少なくとも一方には、前記後方空間２１とハウジング１１の外部とを連通する連通路１５の外側端である開孔としての音質調整孔１５ａが形成されている。
【００３２】
さらに、前記後板部１３の音質調整孔１５ａの周囲には、後述されるボイスコイル４３と電気的に導通する端子５３が配設されている。該端子５３は、スピーカ装置１０が装着される電気機器、電子機器等が備えるアンプ等の音声信号発生機器に接続された相手方端子と嵌（かん）合され、前記音声信号発生機器からの電気信号である音声信号をボイスコイル４３に伝達するために使用される。なお、前記端子５３の位置は、必ずしも後板部１３の音質調整孔１５ａの周囲である必要はなく、任意に設定することができる。
【００３３】
また、前記磁気回路部４０は、矩（く）形平板状乃至高さの低い直方体状の外形を備えるマグネット４１と、該マグネット４１の反放音側の面に取付けられたヨーク４８とを備える。前記マグネット４１は、保磁力の高い材質から成る永久磁石であり、前記ヨーク４８は、磁路を形成する部材であり、例えば、軟鉄等の透磁率の高い材質から成る。なお、前記ヨーク４８におけるマグネット４１の反放音側に露出する部分は、矩形平板状の形状を備える。当該部分は、その長軸方向の寸法がマグネット４１の長軸方向の寸法よりやや短く、その短軸方向の寸法がマグネット４１の短軸方向の寸法と同一又はやや短くなるように形成されている。また、前記磁気回路部４０は、全体として矩形平板状乃至高さの低い直方体状の外形を備え、概略矩形平板状乃至高さの低い直方体状の形状を備える前記磁気回路収容凹部３４内に収容されて取付けられる。
【００３４】
前記磁気回路部４０は、磁気回路収容凹部３４内に収容されて取付けられた状態において、その反放音側の面、すなわち、ヨーク４８の反放音側の面が後板部１３の反放音側の面とほぼ面一となる。また、前記磁気回路部４０は、その長軸方向の寸法が磁気回路収容凹部３４の長軸方向の寸法よりやや短く、その短軸方向の寸法がハウジング１１の短軸方向の寸法と同一又はやや短いので、磁気回路収容凹部３４内に確実に収容され、かつ、側板部１２より外方に突出することがない。
【００３５】
これにより、電気機器、電子機器等の内部におけるスピーカ装置１０を装着するスペースが狭く、ハウジング１１の前後方向（放音方向）の寸法以上の余裕がない場合であっても、スピーカ装置１０を装着して使用することが可能となる。
【００３６】
なお、前記ハウジング１１は、反放音側に向けて突出するカンチレバー状の磁気回路固定部材１８を備える。該磁気回路固定部材１８は、自由端にフックが形成され、磁気回路収容凹部３４の長軸方向両端にそれぞれ配設されている。そして、磁気回路支持凸部１７における磁気回路固定部材１８に対応する部位には、磁気回路固定部材収容凹部１８ａが形成され、磁気回路収容凹部３４の長軸方向外側への磁気回路固定部材１８の変位を吸収する。磁気回路収容凹部３４内に収容された磁気回路部４０は、磁気回路固定部材１８のフックがマグネット４１の反放音側の面に係合することによってロックされ、磁気回路収容凹部３４から離脱しないようになっている。したがって、ビス、金具等の取付用部材を用いることなく、磁気回路部４０をハウジング１１に容易に、かつ、確実に取付けることができる。
【００３７】
前記前板部１６には、後述される振動板収容開口部１６ａが形成され、該振動板収容開口部１６ａ内に振動板４６が収容される。該振動板４６は、平面に対するその投影面の外形が、細長い長方形のような形状、又は、長軸と短軸とを備える楕円、小判形等の形状であり、その短軸方向の寸法がハウジング１１の短軸方向の寸法と同一又はやや短い程度に設定されている。したがって、スピーカ装置１０の放音側から観ると、振動板４６の長軸方向外側には前板部１６が存在するが、振動板４６の短軸方向外側には前板部１６がほとんど存在しない。なお、前板部１６における振動板４６の長軸方向外側の部分は、反放音側から出る音が放音側に回込むことを防止するための隔壁であるバッフルとしての効果を奏する。
【００３８】
そして、前記振動板４６は、その中央に形成された中央開口部４６ａと、外周部に一体的に接続された振動板エッジ部４６ｂと、該振動板エッジ部４６ｂの外周に一体的に接続されたガスケット部４６ｃとを備える。前記中央開口部４６ａ内には、後述されるボビン４４の前端部に取付けられたダストキャップ４５が収容される。また、前記振動板エッジ部４６ｂは、柔軟性を高めるに湾曲した断面形状を備える。なお、前記振動板エッジ部４６ｂの平面形状は、長軸と短軸とを備える楕円、小判形等の形状である。さらに、前記ガスケット部４６ｃは、平板状の部材であり、その外周縁の形状は細長い長方形の四隅を斜めに切落としたような形状である。
【００３９】
また、前記端板部３５は、取付部３５ａを有する。該取付部３５ａは、前記前板部１６と平行で、前記端板部３５から長手方向外方へ延出する固定板部３５ｂと、取付開口部３５ｃとを備える。前記固定板部３５ｂは、スピーカ装置１０が装着される電気機器、電子機器等が備える図示されないスピーカ固定用部材に当接する部分である。さらに、前記取付開口部３５ｃは、ボルト、ビス等の固着部材が挿通される部分である。なお、前記取付部３５ａの形状及び寸法は、電気機器、電子機器等の筐体におけるスピーカ装置１０が装着される部位の形状及び寸法に応じて適宜変更される。例えば、前記取付開口部３５ｃの径は、ボルト、ビス等の固着部材の外径に応じて変更される。さらに、前記固定板部３５ｂの形状及び寸法は、前記電気機器、電子機器等が備えるスピーカ固定用部材の形状及び寸法に応じて変更される。
【００４０】
次に、前記スピーカ装置１０の内部構造について説明する。
【００４１】
図２は本発明の第１の実施の形態におけるスピーカ装置の二面図、図３は本発明の第１の実施の形態におけるスピーカ装置の分解図であって放音側から観た図、図４は本発明の第１の実施の形態におけるスピーカ装置の分解図であって反放音側から観た図である。なお、図２において、（ａ）は平面図、（ｂ）は（ａ）におけるＡ−Ａ矢視断面図である。
【００４２】
図に示されるように、磁気回路部４０は、マグネット４１の放音側の面に取付けられたトッププレートとしてのプレート４２を更に備える。該プレート４２は、矩形平板状の形状を備え、ヨーク４８と同様に、磁路を形成する部材であり、例えば、軟鉄等の透磁率の高い材質から成る。また、前記マグネット４１は、その中心を厚さ方向（図２（ｂ）における上下方向）に貫通する中心孔４１ａを備え、前記プレート４２も、その中心を厚さ方向（図２（ｂ）における上下方向）に貫通する中心孔４２ａを備える。そして、プレート４２がマグネット４１に取付けられた状態で、マグネット４１の中心孔４１ａとプレート４２の中心孔４２ａとは同心円となるように形成されている。なお、マグネット４１の中心孔４１ａよりもプレート４２の中心孔４２ａの方が小径であることが望ましい。
【００４３】
また、ヨーク４８は、その中心から鉛直に放音側方向に延出する円柱状の中心柱部４８ａを備える。そして、ヨーク４８がマグネット４１に取付けられた状態で、前記中心柱部４８ａは、マグネット４１の中心孔４１ａ内とプレート４２の中心孔４２ａ内に挿入される。該プレート４２の中心孔４２ａの内周面とヨーク４８の中心柱部４８ａの外周面との間に形成された空間が磁気ギャップとなり、該磁気ギャップ内に、コイルとしてのボイスコイル４３が配設される。
【００４４】
該ボイスコイル４３は、例えば、銅等の導電性の高い材質から成る導線を、前後方向、すなわち、放音方向（図２（ｂ）における上方向）に延在する円筒状のボビン４４の後端部の外周面に巻付けて形成された部材であって、駆動部材として機能する。そして、前記ボイスコイル４３は、全体として肉薄の円筒状の形状を備え、前記磁気ギャップ内に、前後方向、すなわち、放音方向に移動可能に配設されている。
【００４５】
また、前記ボビン４４は、振動伝達部材として機能し、前記ボイスコイル４３の前端から前方に向けて延出し、その前端部には、概略円板状の部材であるダストキャップ４５が接続されている。そして、前記ボビン４４の外側面には、ダンパ５０のボビン接続部５１が接続されている。なお、前記ダンパ５０のハウジング接続部５６は、ハウジング１１に接続されている。これにより、前記ボイスコイル４３は、前記磁気ギャップの両面、すなわち、磁極として機能するプレート４２の中心孔４２ａの内周面及びヨーク４８の中心柱部４８ａの外周面に接触することなく、放音方向に移動可能に保持される。
【００４６】
なお、ボビン４４には、コード５２が取付られている。該コード５２は、電気信号である音声信号をボイスコイル４３に伝達する電線であり、図示されない一端がボイスコイル４３に接続され、他端は、端子５３に接続される。前記コード５２は、全長が長いものであるが、図３及び４では、図示の都合上、一部分のみが描画されている。
【００４７】
さらに、前記ボビン４４の外側面には、振動板４６の中央開口部４６ａの内周縁が接続されている。なお、前記振動板４６は、前記ダンパ５０よりも前方、すなわち、放音側に配設される。そして、前記振動板４６のガスケット部４６ｃは、例えば、ＥＶＡ（エチレン−酢酸ビニル共重合樹脂）等の柔軟性を備える材質から成り、その後面がハウジング１１の前板部１６に形成された振動板収容開口部１６ａの周縁部１６ｂに接着剤等によって固着されて取付けられる。これにより、振動板４６は、振動を妨害されることなく、前板部１６によって保持される。
【００４８】
図４に示されるように、磁気回路収容凹部３４は、前板部１６及び後板部１３に平行な仕切板部３７と、該仕切板部３７と直交し、放音方向に延在する一対の磁気回路支持凸側部１７ａとによって三方を画定された凹部である。なお、各磁気回路支持凸側部１７ａの中央付近には、磁気回路支持凸側部１７ａに沿って延在する磁気回路固定部材１８が配設されている。
【００４９】
前記仕切板部３７は、ハウジング１１の内部と外部とを仕切る矩形平板状の部分であり、放音方向に関して、前板部１６と後板部１３との間に位置し、磁気回路収容凹部３４内に収容された磁気回路部４０の放音側の面であるプレート４２の放音側の面が当接する。前述のように、磁気回路部４０は、磁気回路収容凹部３４内に収容されて取付けられた状態において、その反放音側の面が後板部１３の反放音側の面とほぼ面一となるので、放音方向に関して、仕切板部３７と後板部１３との距離は、磁気回路部４０の厚さ方向の寸法とほぼ等しくなっている。
【００５０】
そして、前記仕切板部３７には、その中央を厚さ方向に貫通するコイル通過開口部３６が形成されている。図２（ｂ）に示されるように、ボビン４４のほぼ全体は、ハウジング１１の内部、すなわち、仕切板部３７よりも放音側に位置するが、ボイスコイル４３の少なくとも後端部分は、コイル通過開口部３６を通過して仕切板部３７よりも反放音側にまで延出し、これにより、仕切板部３７よりも反放音側に位置する磁気ギャップ内に到達するようになっている。
【００５１】
また、仕切板部３７の放音側における周縁には、図３に示されるように、仕切板部３７よりも放音側に延出するダンパ接続部３７ａが形成されている。該ダンパ接続部３７ａの放音側の面には、ダンパ５０のハウジング接続部５６が接着剤等により固着される。
【００５２】
本実施の形態において、前記ダンパ５０は、ナイロン等の樹脂から成る一体的に形成された扁（へん）平な部材であり、円環状、すなわち、フランジ状のボビン接続部５１と、該ボビン接続部５１の周囲を囲繞（にょう）する矩形環状のハウジング接続部５６と、前記ボビン接続部５１とハウジング接続部５６とを連結する略Ｓ字状の一対の連結腕部５５とを備える。なお、前記ハウジング接続部５６は、ハウジング１１の短軸方向に延在する一対の短辺部５６ａとハウジング１１の長軸方向に延在する一対の長辺部５６ｂとを含み、各連結腕部５５は短辺部５６ａに接続されている。
【００５３】
前記連結腕部５５は、平坦（たん）な帯状の部材であるが、平面形状が略Ｓ字状に湾曲していることによって柔軟性を発揮することができ、ボビン接続部５１に接続された端部と、ハウジング接続部５６の短辺部５６ａに接続された端部との間で伸縮可能となっている。したがって、ボビン接続部５１に接続されたボビン４４は、ボイスコイル４３及び振動板４６とともに、放音方向に移動可能である。これにより、振動板４６は、拘束されることなく振動することができる。
【００５４】
なお、前記ダンパ５０の放音側の面には、コード５２をガイドするガイド片５４及びコード５２を固定する固定片５４ａが形成されている。これにより、コード５２はダンパ５０の放音側の面に保持される。なお、前記ガイド片５４及び固定片５４ａは、適宜省略することができる。
【００５５】
ハウジング１１の内部における振動板４６より反放音側には、音響空間として機能する後方空間２１が形成される。該後方空間２１は、側板部１２、後板部１３、端板部３５、仕切板部３７、磁気回路支持凸側部１７ａ、振動板４６、ボビン４４及び磁気回路部４０によって周囲を画定された空間である。したがって、ハウジング１１は、エンクロージャとして機能し、スピーカ装置１０の性能を十分に発揮させることができる。
【００５６】
また、前記後方空間２１内における仕切板部３７の長軸方向両側には、磁気回路部４０の放音側の面であるプレート４２の放音側の面よりも反放音側に凹入した凹入空間２１ａが形成されている。該凹入空間２１ａは、磁気回路支持凸部１７の内部空間に対応する空間である。なお、前述のように、磁気回路部４０の反放音側の面が後板部１３の反放音側の面とほぼ面一となるのであるから、前記凹入空間２１ａの深さ、すなわち、凹入空間２１ａの放音方向の寸法は、磁気回路部４０の厚さ方向の寸法とほぼ等しくなっている。
【００５７】
このように、一対の凹入空間２１ａを形成することによって、振動板４６より反放音側において音響空間として機能する後方空間２１の容積を大きくすることができる。したがって、スピーカ装置１０全体の外形寸法が小さくても、エンクロージャとしてのハウジング１１の容積、つまり、音響空間として機能する後方空間２１の容積を大きくすることができるので、切れの良い低音及びクリアな中高音を再現することができ、音の再現性が良好となり、音質が向上する。
【００５８】
さらに、本実施の形態においては、一対の凹入空間２１ａの少なくとも一方に後板部１３に形成された音質調整孔１５ａが設けられている。
【００５９】
エンクロージャを有するスピーカ装置では、エンクロージャの容積Ｖ（単位：リットル）は、次の式（１）で表される。
Ｖ＝（３５５×ａ4 ）／（α×ｆ2 ×ｍ）    ・・・式（１）
なお、ａは振動板面積の相当半径（単位：ｃｍ）、αは係数、ｆは最低共振周波数（単位：Ｈｚ）、ｍは振動系の質量（単位：ｇ）である。また、エンクロージャに形成された音質調整孔を有するスピーカでは係数αの推奨値は、０．５以上である。
【００６０】
本発明の発明者が製作した本実施の形態におけるスピーカ装置１０の試作品では、Ｖが０．０２２３リットル、ａが２．３〔ｃｍ〕、ｆが２４０〔Ｈｚ〕、ｍが１．８〔ｇ〕であった。これらの値を前記式（１）に代入すると、係数αは４．３となる。
【００６１】
したがって、本実施の形態におけるスピーカ装置１０は、係数αが推奨値の範囲であり、良好な音の再現性及び音質を得られることが分かる。
【００６２】
なお、図に示される例では、図２（ｂ）における右側の凹入空間２１ａのみが音質調整孔１５ａを備えているが、左側の凹入空間２１ａのみが音質調整孔１５ａを備えていてもよいし、左右両側の凹入空間２１ａが音質調整孔１５ａを備えていてもよい。
【００６３】
なお、図に示される例では、該音質調整孔１５ａの形状が略Ｔ字状となっているが、その形状は、略Ｔ字状に限定されるものでなく、いかなる形状であってもよい。また、音質調整孔１５ａの面積も、適宜設定することができる。
【００６４】
これにより、エンクロージャとして機能する後方空間２１は、音質調整孔１５ａを介して外部と連通する。したがって、音質調整孔１５ａの長さ、断面形状、断面の大きさ等を調整することによって種々の周波数帯での音圧をコントロールすることができる。特に、低い周波数帯での音質を向上させることができる。
【００６５】
このように、本実施の形態において、スピーカ装置１０は、振動板４６と、振動板４６を振動させるドライバユニットと振動板４６の反放音側を覆うエンクロージャとして機能するハウジング１１とを有し、振動板４６及びハウジング１１は、放音側から観て、幅が狭くて細長い平面形状を備え、ドライバユニットは、磁気回路部４０と、磁気回路部４０と協働して振動を発生するボイスコイル４３と、ボイスコイル４３の振動を振動板４６に伝達するボビン４４とを備え、磁気回路部４０はハウジング１１の外側かつ反放音側でハウジング１１に保持され、ボビン４４はハウジング１１の内側で放音方向に移動可能にハウジング１１に保持され、ハウジング１１は、磁気回路部４０を収容する磁気回路収容凹部３４と、磁気回路収容凹部３４の両側で反放音側に向けて突出する磁気回路支持凸部１７と、磁気回路支持凸部１７内に形成され、磁気回路部４０の放音側の面より反放音側に凹入する凹入空間２１ａとを備える一体的に形成された部材である。
【００６６】
これにより、フレーム等の別部材を用いることなく、一体的に形成されたハウジング１１だけでドライバユニット及び振動板４６を保持することができ、部品点数を削減し、組立が容易となり、スピーカ装置１０のコストを低減することができる。また、一体的に形成されたハウジング１１で振動板４６の反放音側を覆うので、エンクロージャとしての機能が向上し、幅が狭くて細長い形状を採用しても、音の再現性が良好で、音質が高いスピーカ装置１０を提供することができる。さらに、磁気回路部４０の放音側の面より反放音側に凹入する凹入空間２１ａを備えるので、スピーカ装置１０の放音方向の寸法を小さくして小型化しても、エンクロージャとしてのハウジング１１の容積を大きくすることがででき、切れの良い低音及びクリアな中高音を再現することができ、音の再現性が良好となり、音質が向上する。
【００６７】
また、磁気回路支持凸部１７の反放音側の面と磁気回路部４０の反放音側の面とはほぼ面一である。したがって、スピーカ装置１０の放音方向の寸法を小さくして小型化しても、凹入空間２１ａの放音方向の寸法を大きくすることができる。
【００６８】
さらに、凹入空間２１ａの少なくとも一つは、外部と連通する連通路１５を含む。これにより、種々の周波数帯での音圧をコントロールすることができ、特に、低い周波数帯での音質を向上させることができる。
【００６９】
次に、本発明の第２の実施の形態について説明する。なお、第１の実施の形態と同じ構造を有するものについては、同じ符号を付与することによってその説明を省略する。また、前記第１の実施の形態と同じ動作及び同じ効果についても、その説明を省略する。
【００７０】
図５は本発明の第２の実施の形態におけるスピーカ装置の三面図である。なお、図において、（ａ）は平面図、（ｂ）は側面図、（ｃ）は（ａ）におけるＢ−Ｂ矢視断面図である。
【００７１】
本実施の形態において、対の凹入空間２１ａの少なくとも一方は、ダクトとして機能する連通路１５を備える。該連通路１５は、凹入空間２１ａ内の反放音側端部で放音方向と直交する方向、具体的には、ハウジング１１の長軸方向に延在する。そして、音質調整孔１５ａは、磁気回路支持凸部１７の側面、具体的には、端板部３５の側面に形成されている。また、音質調整孔１５ａの形状は、概略矩形となっている。
【００７２】
その他の点の構成については、例えば、取付部３５ａ等、各部の形状又は大きさが前記第１の実施の形態と相違するが、実質的には前記第１の実施の形態と同様であるので、その説明を省略する。
【００７３】
そして、本発明の発明者が製作した本実施の形態におけるスピーカ装置１０の試作品では、Ｖが０．０１１４リットル、ａが１．９３〔ｃｍ〕、ｆが２１０〔Ｈｚ〕、ｍが０．７〔ｇ〕であった。これらの値を前記式（１）に代入すると、係数αは１４．０となる。
【００７４】
したがって、本実施の形態におけるスピーカ装置１０も、係数αが推奨値の範囲であり、良好な音の再現性及び音質を得られることが分かる。
【００７５】
このように、本実施の形態において、ダクトして機能する連通路１５は放音方向と直交する方向に延在し、連通路１５の外側端である音質調整孔１５ａは磁気回路支持凸部１７の側面に開口する。
【００７６】
これにより、連通路１５及び音質調整孔１５ａの長さ、断面形状、断面の大きさ等を調整し、種々の周波数帯での音圧をコントロールすることができる。
【００７７】
なお、本発明は前記実施の形態に限定されるものではなく、本発明の趣旨に基づいて種々変形させることが可能であり、それらを本発明の範囲から排除するものではない。
【産業上の利用可能性】
【００７８】
本発明は、スピーカ装置に適用することができる。
【符号の説明】
【００７９】
１０    スピーカ装置
１１    ハウジング
１２    側板部
１３    後板部
１５、８１５    連通路
１５ａ    音質調整孔
１６    前板部
１６ａ    振動板収容開口部
１６ｂ    周縁部
１７    磁気回路支持凸部
１７ａ    磁気回路支持凸側部
１８    磁気回路固定部材
１８ａ    磁気回路固定部材収容凹部
２１、８２１    後方空間
２１ａ    凹入空間
３４    磁気回路収容凹部
３５    端板部
３５ａ    取付部
３５ｂ    固定板部
３５ｃ    取付開口部
３６    コイル通過開口部
３７    仕切板部
３７ａ    ダンパ接続部
４０    磁気回路部
４１、８４１    マグネット
４１ａ、４２ａ    中心孔
４２、８４２    プレート
４３    ボイスコイル
４４    ボビン
４５    ダストキャップ
４６、８４６    振動板
４６ａ    中央開口部
４６ｂ    振動板エッジ部
４６ｃ    ガスケット部
４８、８３４    ヨーク
４８ａ    中心柱部
５０    ダンパ
５１    ボビン接続部
５２    コード
５３    端子
５４    ガイド片
５４ａ    固定片
５５    連結腕部
５６    ハウジング接続部
５６ａ    短辺部
５６ｂ    長辺部
８１１    フレーム
８１２    側壁部
８１６    前面板部
８１７    磁気回路支持部
８２６    キャップ部材
８３３    密閉用カバー
８４３    コイル
【図１】
0005714477.tif 000002
【図２】
0005714477.tif 000003
【図３】
0005714477.tif 000004
【図４】
0005714477.tif 000005
【図５】
0005714477.tif 000006
【図６】
0005714477.tif 000007